(57)【要約】【課題】胴部深部体温を検出する。【解決手段】体腔入口３Ａから所定の少なくとも２つの留置位置Ｐ１、Ｐ２に留置した第１及び第２の温度検出表示部材２Ａ、２Ｂによって、当該２つの留置位置Ｐ１、Ｐ２の温度及び温度勾配を検出して胴部深部温度を評価することにより、胴部深部の温度を簡便に検出することができる。【選択図】図２
2010233642.tif 000002
【特許請求の範囲】
【請求項１】
体腔内の体腔入口から異なる留置距離の少なくとも２つの第１及び第２の留置位置に留置され、当該第１及び第２の留置位置の検出温度を表示する第１及び第２の温度検出表示部材と、
上記第１及び第２の温度検出表示部材を、上記体腔内の上記第１及び第２の留置位置に留置する留置冶具と
を具えることを特徴とする体腔内留置型温度モニタ。
【請求項２】
上記第１及び第２の温度検出表示部材は、非可逆熱変色性材料でなる温度表示子の変色作用によって上記第１及び第２の留置位置の検出温度を表示する
ことを特徴とする請求項１に記載の体腔内留置型温度モニタ。
【発明の詳細な説明】
【技術分野】
【０００１】
本発明は、体腔内留置型温度モニタに関し、特に胴部の深部温度を評価する場合に適用して好適なものである。
【背景技術】
【０００２】
人の健康に関連して、身体の体温を正しく評価することは重要であり、特に女性を中心にして冷えの訴えが多い。
【０００３】
この種の冷えの訴えは、一般には、中年以降の更年期障害の冷えが多いが、近年では若い女性にも冷えの訴えが多い。
【先行技術文献】
【特許文献】
【０００４】
【特許文献１】特開昭５８−１７７６３０号公報
【特許文献２】特開平２−４９１２９号公報
【発明の概要】
【発明が解決しようとする課題】
【０００５】
冷えの評価をする際に、手指、足指などの身体の外部についての冷えは赤外線温度計などによって皮膚温を簡便に測定できるため、客観的な評価をし易い。
【０００６】
しかしながら、身体の内部、特に胴部の冷えは測定し難く、さらには皮膚温ではなく、胴部の深部温度の評価について、従来は、有効な手段が少なかった（特許文献１及び２参照）。
【０００７】
本発明は以上の点を考慮してなされたもので、胴部の深部温度を十分な精度で判定できる検温データを取得し得る体腔内留置型温度モニタを提案しようとするものである。
【課題を解決するための手段】
【０００８】
かかる課題を解決するため本発明においては、体腔３内の体腔入口３Ａから異なる留置距離Ｄ１、Ｄ２の少なくとも２つの第１及び第２の留置位置Ｐ１、Ｐ２に留置され、当該第１及び第２の留置位置Ｐ１、Ｐ２の検出温度を表示する第１及び第２の温度検出表示部材２Ａ、２Ｂと、第１及び第２の温度検出表示部材２Ａ、２Ｂを、体腔３内の第１及び第２の留置位置Ｐ１、Ｐ２に留置する留置冶具４とを設ける。
【発明の効果】
【０００９】
本発明によれば、体腔入口から所定の少なくとも２つの留置位置に留置した第１及び第２の温度検出表示部材によって、当該２つの留置位置の温度及び温度勾配を検出して胴部深部温度を評価することにより、胴部深部の温度を簡便に判定することができる。
【図面の簡単な説明】
【００１０】
【図１】本発明による体腔内留置モニタの一実施の形態を示す略線図である。
【図２】図１の留置治具４を体腔内に挿入する際に用いられる挿入具を示す断面図である。
【図３】第１及び第２の温度検出表示部材の詳細構成を示す平面図である。
【図４】基準測温データを示す図表である。
【図５】基準測温データ列の温度及び温度勾配の説明に供する特性曲線図である。
【図６】（Ａ）、（Ｂ）及び（Ｃ）は挿入用具の構成を示す背面図、表面図及びＢ１−Ｂ１断面図である。
【図７】挿入具の第２の実施の形態を示す断面図である。
【発明を実施するための形態】
【００１１】
以下図面について、本発明の一実施の形態を詳述する。
【００１２】
図１において、１は全体として体腔内留置型モニタを示し、２つの温度検出手段として、第１及び第２の温度検出表示部材２Ａ及び２Ｂを有する。
【００１３】
第１及び第２の温度検出表示部材２Ａ及び２Ｂは、体腔温度を測定すべき体腔３（この実施の形態の場合被験者の膣）内に、体腔入口３Ａの位置Ｐ０を基準にして体腔３内の予め決められた所定の留置位置Ｐ１及びＰ２に、留置治具４を用いて留置される。
【００１４】
第１及び第２の温度検出表示部材２Ａ及び２Ｂは、体腔３である膣の入口、すなわち体腔入口３Ａから体の深部方向に留置距離Ｄ１及びＤ２だけ離れた位置に設けられる。
【００１５】
かくして第１の温度検出表示部材２Ａは、体腔入口１２から留置距離Ｄ１だけ胴部深部に入った留置位置Ｐ１の温度を検出する。
【００１６】
これと同時に、第２の温度検出表示部材２Ｂは、体腔入口３Ａから留置距離Ｄ２、従って留置距離Ｄ１より留置間隔ＤＸだけ深部方向に奥の留置位置Ｐ２における体腔温度を検出する。
【００１７】
留置治具４の第１及び第２の温度検出表示部材２Ａ及び２Ｂを体腔１２内の留置位置Ｐ１及びＰ２に配設する手段として、図２に示すような挿入具１１を適用し得る。
【００１８】
挿入具１１は、先端部に砲弾型の膨出部１２を形成してなる円筒状外筒１３内に、その中心軸に沿って摺動自在の円筒状内筒１４を嵌め込んだ構成を有し、膨出部１２の先端側に入れられた、強い吸湿性をもつタンポン１５を内筒１４の先端に設けられた押出部材１６によって保持している。
【００１９】
膨出部１２の先端には可撓性を有する複数の花びら状扉片を有する扉部材１７が設けられ、外筒１３を先端側から体腔入口３Ａを通って体腔３に挿入して外筒１３の後端側に設けられた位置決め部材としての鍔部１８を体腔入口３Ａに当接させた状態で、内筒１４を押込み長さＤ３だけ押し込む操作ができるようになされている。
【００２０】
このとき内筒１４の先端の押出部材１６がタンポン１５によって扉部材１７を押し広げさせながら当該タンポン１５を前方外部に押し出す。
【００２１】
留置治具４を構成するタンポン１５には留置間隔ＤＸだけ離れた位置に第１及び第２の温度検出表示部材２Ａ及び２Ｂが設けられており、これにより内筒１４が押込み操作されることによって扉部材１７から前方に押し出されたタンポン１５に設けられた第１及び第２の温度検出表示部材２Ａ及び２Ｂは留置間隔ＤＸを維持しながら、体腔３を構成する膣内の留置位置Ｄ１及びＤ２に位置決めされる。
【００２２】
かくして、先端に膨出部１２を有する外筒１３及び内筒１４は、挿入具１１を体腔３の体腔入口３Ａから体腔３の深部に挿入させるためのアプリケータとしての役割を果す。
【００２３】
外筒１３の鍔部１８と第１及び第２の温度検出表示部材２Ａ及び２Ｂの位置は、鍔部１８の位置Ｐ０Ｘを基準にして、留置距離Ｄ１及びＤ２から押込み長さＤ３だけ短かい距離Ｄ１−Ｄ３及びＤ２−Ｄ３の位置Ｐ１Ｘ及びＰ２Ｘとなるように選定され、これによりタンポン１５が膨出部１２から押し出されたとき、第１及び第２の温度検出表示部材２Ａ及び２Ｂが体腔入口３Ａから留置距離Ｄ１及びＤ２の留置位置Ｐ１及びＰ２に位置決めされるようになされている。
【００２４】
かくして体腔３内に留置冶具４であるタンポン１５が位置決めされた状態において、外筒１３及びこれに嵌め込まれた内筒１４を体腔入口３Ａから外部に引き出すことにより、留置治具４によって体腔３Ａの留置位置Ｐ１及びＰ２に第１及び第２の温度検出表示部材２Ａ及び２Ｂを留置した構成の体腔内留置型モニタ１を得ることができる。
【００２５】
この実施の形態の場合、留置位置Ｐ１及びＰ２は、体腔入口３Ａの位置Ｐ０を基準にして、留置距離Ｄ１＝６〔ｃｍ〕及びＤ２＝９〔ｃｍ〕の位置に選定されている。
【００２６】
実際上タンポン１５の後端面には引出しひも１９が内筒１４を通って外部に導出されており、体腔３内に留置された留置治具４は体温の検温処理が終了した後に、引出しひも１９によって体腔入口３Ａから外部に引き出されることにより回収される。
【００２７】
第１及び第２の温度検出表示部材２Ａ及び２Ｂは図３に示すように、薄い（厚さ０．２〔ｍｍ〕）可撓性を有する合成樹脂材料でなる平板状基板２１を有し、この基板２１の表面に格子状に複数の温度表示子２２を配列させた構成を有する。
【００２８】
この実施の形態の場合、基板の表面には、温度表示子２２を、幅方向に５行かつ長手方向に１０列に配列してなる温度表示子欄２３Ａと、当該温度表示子欄２３Ａの長手方向の一側において温度表示子２２の各行ごとに割り当てた温度範囲を示す温度読取数字３４．０、３５．０……３８．０を記載してなる温度読取欄２３Ｂとが設けられている。
【００２９】
温度表示子２２は基板２１の表面に熱変色性材料でなる指温塗料を円形に印刷したもので、それぞれ割り当てられた温度になると、例えば緑色から黒色に変色する。
【００３０】
温度表示子２２について用いてられている指温塗料は、非可逆的な色の変化を示すもので、これにより温度検出表示部材２Ａ及び２Ｂは、留置位置Ｐ１及びＰ２の温度の上下変化がある場合、最も高い温度で変色した状態を維持するようになされている。
【００３１】
これにより、１行目、２行目、３行目、４行目、５行目の温度表示子２２に対して、順次３４．０〜３４．９、３５．０〜３５．９、３６．０〜３６．９、３７．０〜３７．９、３８．０〜３８．９〔°Ｃ〕の温度が割り当てられている。
【００３２】
かくして、例えば１行目の温度読取数字「３４．０」の行のうち左端から５列目までの温度表示子２２が変色したとき、温度検出表示部材２Ａ（２Ｂ）は「３４．４〔°Ｃ〕」の体腔温度を検出したことを表す。
【００３３】
同様にして、１〜４行目の温度読取数字「３４．０」〜「３６．０」の行の全ての温度表示子２２と、５行目の温度読取数字「３７．０」の行の左端から５列目までの温度表示子２２とが変色したとき、温度検出表示部材２Ａ（２Ｂ）は「３７．４〔°Ｃ〕」の体腔温度を検出したことを表す。
【００３４】
このようにして温度検出表示部材２Ａ及び２Ｂが温度検出動作をしたときに検出した温度は、温度検出表示部材２Ａ及び２Ｂの温度表示子欄２３Ａに生じている温度表示子２２の変色パターンと、温度読取欄２３Ｂの対応する温度読取数字とを目視確認することによって、当該検出動作時に温度検出表示部材２Ａ及び２Ｂが検出した最も高い温度を読み取ることができる。
【００３５】
第１及び第２の温度検出表示部材２Ａ及び２Ｂによって検出した留置位置Ｐ１及びＰ２の温度検出結果は、図４に示す基準測温データＶＴを用いて評価され、その評価結果に基づいて胴部の深部温度を判定する。
【００３６】
この基準測温データＶＴは、冷えの訴えのない標準女性について、体腔入口３Ａ（この実施の形態の場合膣入口）からの深部方向への複数の距離を表す距離データＶＴＡごとに、予め測温検査により得た測温データを、基準測温データＶＴとして取得したものである。
【００３７】
この実施の形態の場合、基準データＶＴは、測温部の外気温が２３〔°Ｃ〕、１６〔°Ｃ〕及び９〔°Ｃ〕（舌下温が３６．９９〔°Ｃ〕、３６．８６〔°Ｃ〕及び３６．７６〔°Ｃ〕）のときの測温データ列ＶＴＢ、ＶＴＣ及びＶＴＤを含み、測温データ列ＶＴＢ、ＶＴＣ及びＶＴＤは、距離データＶＴＡが０〔ｃｍ〕、３〔ｃｍ〕、……１５〔ｃｍ〕のとき（３５．８８、３６．８……３７．４１）〔°Ｃ〕、（３５．４、３６．５６……３７．３１）〔°Ｃ〕及び（３４．６６、３６．３１……３７．２６）〔°Ｃ〕の測温温度データを含んでいる。
【００３８】
この基準測温データＶＴを、図５に示すように、体腔入口３Ａとしての膣口からの距離Ｄ〔ｃｍ〕を横軸に取ると共に、測温温度Ｔ〔°Ｃ〕を縦軸に取った２次元表示に置き換えてみると、各外気温２３〔°Ｃ〕、１６〔°Ｃ〕及び９〔°Ｃ〕の特性曲線Ｋ１、Ｋ２及びＫ３について、膣口からの距離Ｄが深部に行くに従って、それぞれ個有の温度勾配を呈しながら、深部に行くに従って体温が上昇して行く関係にあることが分かる。
【００３９】
これに加えて膣口からの距離Ｄが大きくなるに従って、各外気温間に対応する特性曲線の温度差が小さくなっていくように収束していることが分かる。
【００４０】
このような基準測温データＤＴを基準にして、当該体腔内留置モニタ１のユーザは、第１及び第２の温度検出表示部材２Ａ及び２Ｂから読み取った検出温度を評価する。
【００４１】
この実施の形態の場合、第１及び第２の温度検出表示部材２Ａ及び２Ｂは、それぞれ体腔入口３ＡからＤ１＝６〔ｃｍ〕及びＤ２＝９〔ｃｍ〕の留置位置Ｐ１及びＰ２に留置されているので、検出温度が第１の留置位置Ｐ１及び第２の留置位置Ｐ２の温度、及び第１留置位置Ｐ１から第２留置位置Ｐ２への温度勾配が、３７．０９〔°Ｃ〕から３７．３〔°Ｃ〕に立ち上がるような関係になっていれば、ユーザは、外気温が２３〔°Ｃ〕における測温データ列ＶＴＢの基準データＶＴに基づいて体腔入口３Ａから１５〔ｃｍ〕の胴部深部位置における胴部深部温度が３７．４１〔°Ｃ〕であると評価できる。
【００４２】
同様にして、測温データ列ＶＴＣに基づいて、留置位置Ｐ１及びＰ２における第１及び第２の温度センサ１１Ａ及び１１Ｂの温度検出データＤＴＢ及びＤＴＣが、３６．８８〔°Ｃ〕から３７．０７〔°Ｃ〕に立ち上がるような温度及び温度勾配をもっているとき、ユーザは外気温が１６〔°Ｃ〕で、１５〔ｃｍ〕の胴部深部温度が３７．３１〔°Ｃ〕であると評価できる。
【００４３】
さらに測温データ列ＶＴＤの関係から、第１及び第２の留置位置Ｐ１及びＰ２の温度検出データが３６．７６〔°Ｃ〕から３６．９８〔°Ｃ〕に立ち上がるような温度及び温度勾配をもっているとき、ユーザは外気温が９〔°Ｃ〕で、１５〔ｃｍ〕の胴部深部温度が３７．２６〔°Ｃ〕であると評価とできる。
【００４４】
このように、冷えを訴えていない標準の女性について、気温が２３〔°Ｃ〕、１６〔°Ｃ〕及び９〔°Ｃ〕において、胴部深部温度は３７．４１〔°Ｃ〕、３７．３１〔°Ｃ〕及び３７．２６〔°Ｃ〕と評価することができ、この胴部深部温度は舌下温の測定結果が３６．９９〔°Ｃ〕、３６．８６〔°Ｃ〕及び３６．７６〔°Ｃ〕と比較してかなり高い体温であることが分かる。
【００４５】
これに対して、第１及び第２の温度検出表示部材２Ａ及び２Ｂによる検出温度が、外気温２３〔°Ｃ〕、１６〔°Ｃ〕及び９〔°Ｃ〕の特性曲線Ｋ１、Ｋ２及びＫ３からはずれている場合、例えば特性曲線Ｋ１及びＫ２間の温度を示している場合には、ユーザは、外気温は２３〜１６〔°Ｃ〕で、１５〔ｃｍ〕における胴部深部温度は３７．４１〜３７．３１〔°Ｃ〕であると評価できる。
【００４６】
また第１及び第２の温度検出表示部材２Ａ及び２Ｂの検出温度が、特性曲線Ｋ２及びＫ３間の温度を示している場合には、外気温は１６〜９〔°Ｃ〕で、１５〔ｃｍ〕における胴部深部温度は３７．３１〜３７．２６〔°Ｃ〕であると評価できる。
【００４７】
さらに、第１及び第２の温度検出表示部材２Ａ及び２Ｂの検出温度が、外気温が９〔°Ｃ〕の特性曲線Ｋ３以下の温度を示している場合であっても、当該温度検出データが特性曲線Ｋ３の温度及び温度勾配に近似していれば、１５〔ｃｍ〕における胴部深度温度はほぼ３７．２６〔°Ｃ〕に近い温度であると評価できる。
【００４８】
因に、特性曲線Ｋ１、Ｋ２及びＫ３は、距離Ｄが胴部深部である１５〔ｃｍ〕に近づけば互いに集束して行くから、第１及び第２の温度検出データが特性曲線の温度及び温度勾配に近似していれば、胴部深部温度は特性曲線Ｋ３近傍の値であると評価できる。
【００４９】
しかしながら、第１及び第２の温度検出表示部材２Ａ及び２Ｂの検出温度が、外気温が９〔°Ｃ〕の特性曲線Ｋ３以下の温度を示している場合において、当該温度検出データが特性曲線Ｋ３の温度及び温度勾配とは近似しているとは言えないような低い値を表している場合は、当該被験者の膣内の温度分布は冷えを訴えていない標準の女性の膣内の温度分布とは異なる低い温度分布をもっており、従って胴部深部温度が異常に低い温度であると評価できる。
【００５０】
この実施の形態の場合、挿入具１１を体腔３内に挿入して留置冶具４を所定の位置に位置決めするため、図６に示す挿入用具３０を用いる。
【００５１】
挿入用具３０は、挿入具１１を皮膚当接シート部材３０Ａに組み合せた構成を有する。
【００５２】
皮膚当接シート部材３０Ａは、間に幅狭部分３０Ｂを挟んで、両端に幅広部分３０Ｃ１及び３０Ｃ２を中心線Ｌ１１上に配設してなるシート本体３０Ｄを有し、全体として厚さ１〜２〔ｍｍ〕程度の柔らかくかつ吸湿性の大きいシート材料でなり、幅狭部分３０Ｂの中央位置に貫通孔３０Ｅが穿設されている。
【００５３】
貫通孔３０Ｅには、表面３０Ｄ１（図６（Ｂ））側から裏面３０Ｄ２（図６（Ａ））側に先端側の膨出部１２を挿通して鍔部１８が表面３０Ｄ１に当接した状態になるように、挿入具１１が挿入され、鍔部１８及び当該鍔部１８から後端側に突出している内筒１４及び引出しひも１９の部分がシート本体３０Ｄの表面３０Ｄ１に塗布されている粘着層３０Ｆに粘着保持されている。
【００５４】
かくして、挿入用具３０は、使用状態ではないときは、図６（Ｂ）に示すように、内筒１４及び引出しひも１９が柔軟性を有するシート本体３０Ｄの表面３０Ｄ１の粘着層３０Ｆに粘着していることにより、先端側の外筒１３（及びその膨出部１２）が、図６（Ｃ）に示すように、シート本体３０Ｄの裏面３０Ｄ２に当接した状態で製品エンベロープ（図示せず）に収納できるようになされている。
【００５５】
図６の構成の挿入用具３０は、使用開始時、被験者がシート本体３０Ｄの裏面３０Ｄ２から膨出部１２を起立させてこれを当該裏面３０Ｄ２が体腔入口１２Ａの周囲の皮膚に当接させるまでの深さに挿入し、その後表面３０Ｄ１側において粘着層３０Ｆから離されて起立している内筒１４を鍔部１８、従ってシート本体３０Ｄの表面３０Ｄ１の位置まで押し込み、その後鍔部１８を指で摘んで外筒１３を内筒１４と一緒にシート本体３０Ｄの表面３０Ｄ１側から引き抜くようになされている。
【００５６】
シート本体３０Ｄの表面３０Ｄ１に塗布された粘着層３０Ｆは、留置治具４、従って第１及び第２の温度検出表示部材２Ａ及び２Ｂが体腔３内に留置された検温モード時、被験者の例えば下着に粘着することにより、例え被験者が動いたとしても、引出しひも２９及び導出線１４Ａ及び１４Ｂを体腔入口１２Ａに安定に保持できるようになされている。
【００５７】
以上の構成において、被験者は、挿入用具３０の皮膚当接シート部材３０Ａを利用して挿入具１１を体腔３内に挿入操作すると共に、アプリケータとしての内筒１４を外筒１３内に押込み操作することにより、留置治具４の第１及び第２の温度検出表示部材２Ａ及び２Ｂを所定の留置位置Ｐ１及びＰ２に留置した状態において、アプリケータである内筒１４及び外筒１３を引き抜くことにより、体腔３内に第１及び第２の温度検出表示部材２Ａ及び２Ｂの留置操作を終了する。
【００５８】
この状態において、第１及び第２の温度検出表示部材２Ａ及び２Ｂは体腔３内の留置位置Ｐ１及びＰ２における体腔温度に応じて温度表示子欄２３Ａ（図３）の温度表示子２２の温度変色動作を生起させる。
【００５９】
このような温度検出表示部材２Ａ及び２Ｂの体腔３内への留置は、所定の温度検出処理期間の間維持され、当該１回分の温度検出処理時間が経過したとき、被験者は留置治具４であるタンポン１５から体腔入口３Ａの外部に突出している引出しひも１９によって体腔入口３Ａから引き抜くことにより回収される。
【００６０】
当該回収された第１及び第２温度検出表示部材２Ａ及び２Ｂの温度表示子２２は、それぞれ体腔３のうち留置位置Ｐ１及びＰ２の温度を示している。
【００６１】
実際上体腔３内に温度検出表示部材２Ａ及び２Ｂが留置されている間において、体腔３の温度が体腔入口３Ａ位置における温度、従って外部温度の変化に応じて変化することがあるが、温度検出表示部材２Ａ及び２Ｂの温度表示子２２が非可逆的な熱変色性をもっていることから、当該温度変化のうち最も高い温度を表すような変色状態を示している。
【００６２】
かくして第１及び第２の温度検出表示部材２Ａ及び２Ｂは体腔３内の留置位置Ｐ１及びＰ２の温度、従ってその温度勾配を表していることにより、被験者はこれを温度検出結果として読み取ることができる。
【００６３】
この実施の形態の場合、第１及び第２の温度検出表示部材２Ａ及び２Ｂが留置されている留置位置は留置距離Ｄ１＝６〔ｃｍ〕及び留置距離Ｄ２＝９〔ｃｍ〕であるから、被験者は、当該検出温度及びその勾配が５図の特性曲線Ｋ１〜Ｋ３に近似していると評価できれば、当該特性曲線Ｋ１〜Ｋ３に基づいて体腔入口３Ａからの留置距離が１５〔ｃｍ〕における胴部深部温度を判定することができる。
【００６４】
これに対して、第１及び第２の温度検出表示部材２Ａ及び２Ｂが表示している検出温度が特性曲線Ｋ３の温度及び温度勾配とは近似しているとは言い得ないような低い値を表していると評価する場合は、当該被験者は、膣内の温度分布が冷えを訴えていない標準の女性の膣内の温度分布とは異なる低い温度分布をもっているものとして、温度検出結果は異常であると判定することはできる。
【００６５】
以上の構成によれば、体腔３内の温度分布を、第１及び第２留置位置Ｐ１及びＰ２に留置された第１及び第２の温度検出表示部材２Ａ及び２Ｂの温度表示子の表示に基づいて検出することができると共に、当該検出結果を基準測温データに基づいて胴部深部温度を判定できるようにしたことにより、被験者の胴部深部の体温を確実かつ簡便に検出することができる。
【００６６】
これにより、体腔３内の温度分布が異常に低い場合の体の健康との関連を客観的に評価し易くなる。
【００６７】
因に、若い女性について、ルーズソックスや極端なミニスカートの着用によって、下半身に長期に渡る冷えがあれば、生殖器の発育不全に基づく不妊の原因になるおそれがあるとすれば、これを第１及び第２の温度検出表示部材２Ａ及び２Ｂの温度検出結果により予測できる可能性がある。
【００６８】
（２）第２の実施の形態
図６は第２の実施の形態における挿入具４０を示す。
【００６９】
この挿入具４０は体腔３内の温度として大腸内の温度を検出するもので、体腔３内の留置治具４としてプローブ本体４１を有する。
【００７０】
プローブ本体４１の根元側端部にはストッパ４２が設けられ、被験者はプローブ本体４１を体腔３である大腸に先端側から挿入してストッパ４２を体腔入口３Ａである大腸の入口に当接させた状態にする。
【００７１】
この実施の形態の場合、プローブ本体４１の体腔入口位置Ｐ０から留置距離Ｄ１及びＤ２の留置位置Ｐ１及びＰ２に対応する外表面に第１及び第２の温度検出表示部材２Ａ及び２Ｂが巻き付け固着されており、これにより第１及び第２の温度検出表示部材２Ａ及び２Ｂが大腸の深部の温度を検出する。
【００７２】
この実施の形態の場合も、冷えを訴えていない標準の女性について、図４及び図５について上述したと同様の基準測温データが大腸について予め用意されている。
【００７３】
かくして図７の構成によれば、体腔である大腸内において深さ位置が異なる留置位置Ｐ１及びＰ２における大腸の温度を第１及び第２の温度検出表示部材２Ａ及び２Ｂによって検出することができ、当該体腔内の２点の留置位置における検出温度及びその温度勾配と標準データとの評価結果に基づいて胴部深部温度を判定することができる。
【００７４】
従ってこの場合も、判定した胴部深部温度が非常に低ければ、これを確実に被験者に対して警告することができる。
【００７５】
（３）他の実施の形態
上述の実施の形態においては、胴部深部温度を評価するための検出温度として、体腔内の２点の温度を検出するようにしたが、温度検出位置としては２点に限らず、３点以上の温度を検出し、当該検出結果を基準測温データ（図４及び図５）に基づいて胴部深部温度を評価するようにしても、上述の場合と同様の効果を得ることができる。
【００７６】
また上述の実施の形態においては、温度センサを留置する体腔として膣及び大腸を用いたが、これに限らず、例えば尿道などの体腔を用いようにしても良い。
【００７７】
また、上述の実施の形態において、体腔内に挿入する挿入具１１及び４０について、その外表面に潤滑を目的とした浸水性コーティングを施せば、挿入部１１及び４０の挿入引出し操作を一段と容易にすることができる。
【００７８】
また、上述の実施の形態においては、胴部深部温度と評価する体腔内の深さ位置を体腔入口から１５〔ｃｍ〕に選定した場合について述べたが、当該深さ位置を他の位置を選定するようにしても良い。
【産業上の利用可能性】
【００７９】
本発明は女性の胴部の深部体温を検温する場合に利用できる。
【符号の説明】
【００８０】
１……体腔内留置型モニタ、２Ａ、２Ｂ……第１、第２の温度検出表示部材、３……体腔、３Ａ……体腔入口、４……留置治具、１１……挿入具、１２……膨出部、１３……外筒、１４……内筒、１５……タンポン、１６……押出し部材、１７……扉部材、１８……鍔部、１９……引出しひも、２１……基板、２２……温度表示子、２３Ａ……温度表示子欄、２３Ｂ……温度読取欄、４０……挿入具、４１……プローブ本体、４２……ストッパ。
【図１】
2010233642.tif 000003
【図２】
2010233642.tif 000004
【図３】
2010233642.tif 000005
【図４】
2010233642.tif 000006
【図５】
2010233642.tif 000007
【図６】
2010233642.tif 000008
【図７】
2010233642.tif 000009